(57)【要約】      （修正有）【課題】従来のシューズにおける欠点を改良し、靴口の大小を自動調整でき、且つ足部を心地よく覆い、固定する靴用気圧固定装置を提供する。【解決手段】靴に適した靴用気圧固定装置１であって、気体充填革舌２５と、第一エアポンプ１２と、重量センサと、制御モジュールと、を包含し、前記制御モジュールは、第二イネーブル信号に基づき、気体を前記気体充填革舌から導出することで、前記気体充填革舌は内に向かって縮小し、ユーザーの足部を靴中にしっかりと固定することができており、前記制御モジュールは、第一イネーブル信号に基づき、第一エアポンプを駆動し、気体を前記気体充填革舌中に導入することで、前記気体充填革舌は、膨張し、外に向かって凸出し、開口が増大し、ユーザーが靴の脱着をするのに利がある。【選択図】図１
2019013744.tif 000002
【特許請求の範囲】
【請求項１】
靴に適した靴用気圧固定装置であって、前記靴は、靴体及び底部を有し、前記靴体は、複数個のレースホールを包含し、前記靴体と、前記底部と、は連接し、共に設置空間を定義し、前記靴用気圧固定装置は、  
気体を充填して膨張することができ、複数個のレースホールを貫通して設置する気体充填レースと、
前記気体充填レースと互いに連通する第二エアポンプと、
前記気体充填レースと互いに連通する第一エアポンプと、
前記第一エアポンプと、前記第二エアポンプと、に電気的連接する制御モジュールと、を包含し、
そのうち、前記制御モジュールが第二イネーブル信号を受信した際、前記制御モジュールは前記第二エアポンプを駆動することで、気体を前記気体充填レースに導入して、前記気体充填レースは気体充填により膨張して緊縛し、ユーザーの足部に張り付いており、前記制御モジュールが第一イネーブル信号を受信した際、前記制御モジュールは前記第一エアポンプを駆動することで、気体を前記気体充填レースから導出して、前記気体充填レースは気体漏れにより緩み、ユーザーの足部が脱着するのに利があることを特徴とする靴用気圧固定装置。
【請求項２】
前記靴用気圧固定装置は、更にエアバック部と、第一気体通路と、第二気体通路と、を包含し、前記第一気体通路と、前記第二気体通路と、は前記エアバック部と、前記気体充填レースと、の間にそれぞれ連通し、そのうち、前記制御モジュールは、前記第二イネーブル信号に基づき、前記第二エアポンプを駆動することで、気体を前記エアバック部から前記第二気体通路を通して、前記気体充填レースに導入し、前記気体充填レースが気体充填して膨張により緊縛し、ユーザーの足部に張り付き、前記制御モジュールは、前記第一イネーブル信号に基づき、前記第一エアポンプを駆動することで、前記気体充填レースから前記第一気体通路より、前記エアバック内に導入され、前記気体充填レースは気体を漏らして緩めることで、開口は拡大し、ユーザーが前記靴を脱着するのに利があることを特徴とする請求項１に記載の靴用気圧固定装置。
【請求項３】
前記靴用気圧固定装置は、更にレース気圧センサを包含し、前記レース気圧センサは、前記気体充填レース内に設置され、前記レース気圧センサが前記気体充填レース内部の圧力が特定の値域を超えた際、前記レース気圧センサは第二インバリッド信号を前記制御モジュールに送信し、前記制御モジュールは前記第二インバリッド信号に基づいて前記第二エアポンプを制御し、動作を停止させることを特徴とする請求項１に記載の靴用気圧固定装置。
【請求項４】
前記気体充填レースは人工筋肉気体充填レースとすることができることを特徴とする請求項１に記載の靴用気圧固定装置。 
【請求項５】
前記気体充填レースは更に、少なくとも一つの繋部と、少なくとも一つの連接部と、を包含し、少なくとも一つの前記繋部の両端は、それぞれ通孔を有し、前記通孔は、少なくとも一つの前記繋部と、少なくとも一つの前記連接部と、の間に連通することを特徴とする請求項１に記載の靴用気圧固定装置。
【請求項６】
前記繋部は、更に複数個の膨張部及び複数個の連通部と、を包含し、複数個の前記連通部は、隣り合う複数個の前記膨張部との間と連通し、並びに隣り合う複数個の前記膨張部との間に、複数個の間隙を定義することを特徴とする請求項５に記載の靴用気圧固定装置。
【請求項７】
前記複数個の連通部は、上下に交差する方式で、隣り合う複数個の前記膨張部との間に連通することを特徴とする請求項６に記載Iの靴用気圧固定装置。
【請求項８】
中空孔洞を有し、前記中空孔洞の周辺を可動部とする共振片と、
前記共振片に対応した一に設置する圧電アクチュエータと、
少なくとも一つの側壁と、底板と、開口部と、を有し、少なくとも一つの前記側壁が前記底板枠縁を囲繞し、前記底板上に凸設し、並びに前記底板とともに収容空間を形成し、前記収容空間は、前記共振片及び前記圧電アクチュエータを収容ために用いられ、前記開口部を前記側壁上に設置するカバー板と、を包含し、
そのうち、前記共振片と、前記圧電アクチュエータと、の間にある間隙には、チャンバを形成し、前記圧電アクチュエータが駆動した際、気流が前記カバー板にある前記開口部より導入されることで、前記共振片にある前記中空孔洞を経て、前記チャンバ内に進入し、前記圧電アクチュエータと、前記共振片にある前記可動部により、共振を発生し、気流を輸送することを特徴とする請求項１に記載の靴用気圧固定装置。
【請求項９】
第一表面及び第二表面を有し、且つ、湾曲振動できる懸吊板と、
前記懸吊板の外側を囲繞して設置する外枠と、
前記懸吊板と、前記外枠と、の間に連接し、弾性支持を提供する少なくとも一つのフレームと、
長辺を有し、前記長辺が前記懸吊板の長辺より小さいあるいは、同等であり、且つ、前記懸吊板にある前記第一表面上に張り付き、電圧を印加することで、前記懸吊板を駆動して湾曲振動に用いる圧電ユニットと、を包含することを特徴とする請求項８に記載の靴用気圧固定装置。  
【請求項１０】
前記懸吊板は、正方形状の懸吊板とすることができ、並びに凸部を有することを特徴とする請求項９に記載の靴用気圧固定装置。
【請求項１１】
圧電アクチュエータエアポンプは、導電片と、第一絶縁片と、第二絶縁片と、を包含し、そのうち、前記共振片、前記圧電アクチュエータ、前記第一絶縁片、前記導電片、前記第二絶縁片、カバー板の順で、積み重ねて設置することを特徴とする請求項９に記載の靴用気圧固定装置。
【請求項１２】
前記圧電アクチュエータは、更に、吸気板を包含し、前記吸気板は、第一表面と、第二表面と、少なくとも一つの吸気孔と、中心凹部と、少なくとも一つの気体ガイドと、を包含し、そのうち、少なくとも一つの前記吸気孔は、前記第一表面及び前記第二表面を貫通し、少なくとも一つの前記気体ガイドは、前記第二表面に設置され、並びに少なくとも一つの前記吸気孔に対応し、連通して設置し、前記中心凹部も前記第二表面に設置され、前記共振片に有る前記中空孔洞に対応して設置され、且つ、前記中心凹部と、少なくとも一つの前記気体ガイドと互いに連通し、少なくとも一つの前記吸気孔を通して気体を進入させ、前記気体ガイドにより、気流を前記中心凹部へ集合させ、気体を前記共振片にある前記中空孔洞に導入することを特徴とする請求項１１に記載の靴用気圧固定装置。
【請求項１３】
前記靴用気圧固定装置は、更に、スイッチを包含し、前記スイッチは前記制御モジュールと電気的連接し、前記スイッチが開放された際、前記スイッチは第二イネーブル信号を前記制御モジュールに送信しており、前記スイッチが閉鎖された際、前記スイッチは、前記第一イネーブル信号を前記制御モジュールに送信することを特徴とする請求項１に記載の靴用気圧固定装置。
【請求項１４】
前記靴用気圧固定装置は、更に圧力センサを包含し、前記圧力センサは、前記底部に設置し、そのうち、前記圧力センサは、圧力を測定し、圧力が発生した祭、前記圧力センサは、前記第二イネーブル信号を前記制御モジュールに送信することを特徴とする請求項１に記載の靴用気圧固定装置。
【発明の詳細な説明】
【技術分野】
【０００１】
本願発明は靴用気圧固定装置であって、とりわけエアポンプにより空気を充填する靴用気圧固定装置である。
【０００２】
一般的に、大部分の従来のシューズは、靴紐により、縛ったり、解いたりし、足部を固定するツールであるが、靴紐を有するシューズは、身につけるには不便な点が多く有る。例えば、身につけて活動中に、靴紐が解けてしまい、新たに靴紐を縛り治さなければ活動できず、活動上とても不便であり、時間を無駄にしてします。更には、靴紐を有するシューズを身に着けると、身近に潜んでいる危険がある。例えば、靴紐が解けた際、他人に踏まれやすく、転んでしまうだけでなく、エスカレーターの間隙や、自転車のチェーン、或いは、バイクのスタンドに巻き込まれる等の可能性があり、アクシデントが起こりやすい。その他に、長期的に靴紐を有するシューズを身につけるには、足に対して過度な圧力を強いるものであり、ユーザーに適していない。
【０００３】
少数の従来のシューズは、縛ったり、解いたりし、足部を固定するツールであるが、例えばマジックテープ或いは、シュレパスがあり、マジックテープは固定性が不十分であり、容易に抜け落ち、長時間使用すると、マジックテープのフック性能が低下し、活動上不便になり、運動時に身につけるのに適していない。シュレパスも、足部の固定性が不十分であり、且つ、需要に応じて締めたり、緩めたりできず、長時間の使用はスリッポンの靴體を緩めてしまい、満足に足部を固定できない。
【０００４】
その一方で、一般的な従来のシューズの履き口の大小は主に、効能に基づいて設計され、例えばスポーツ用シューズは通常、履き口の設計が小さいことで、よりよりフィット性を提供でき、運動過程において、抜け落ちることを防いでいるが、履き口が比較的小さい設計は、ユーザーの足部が靴内部に進入し辛く、力で履き口を大きく開いて進入させた場合、履き口を緩くしてしまい、フィット効果を失ってしまう。例えば、スニーカーは通常、履き口の設計が大きいことで、ユーザーが脱着に便利であるが、履き口が比較的大きい設計であるため、ユーザーの足部が容易に抜け落ち、且つ、ユーザーの足部を傷つける或いは靴を損壊させるリスクがある。
【０００５】
以上を鑑みると、上述の従来のシューズにおける欠点を改良し、靴口の大小を自動調整でき、且つ足部を心地よく覆い、固定する靴用気圧固定装置を開発し、目前の問題を解決すべきである。
【発明の概要】
【発明が解決しようとする課題】
【０００６】
本願発明の主な目的は、特に、履き口の大小を自動調整でき、且つ足部を心地よく覆い、固定し、同時に脱着しやすく、身につけている間、足部を固定することを達成する靴用気圧固定装置である。
【課題を解決するための手段】
【０００７】
上述の目的を達成するために、本願発明はより広義的な実施様態として、靴に適しており、前記口は、靴体及び底部を包含し、前記靴体は複数のレースホールを有し、前記靴体と、前記底部と、は互いに連通し、共同の設置空間を定義し、前記靴用気圧固定装置は、気体充填することで膨張する構造の気体充填レースと、前記気体充填レースは複数個の前記レースホールを貫通して設置され、第二エアポンプは、前記気体充填レースと互いに連通し、第一エアポンプは、前記気体充填レースと互いに連通し、制御モジュールは、前記第一エアポンプ及び第二エアポンプと、電気的連接し、そのうち、前記制御モジュールが第二イネーブル信号を受信した際、前記制御モジュールは是延期第二エアポンプを駆動し、気体を前記気体充填レースに導入することで、前記気体充填レースは気体充填により膨張して緊縛し、ユーザーの足に張り付いており、前記制御モジュールが、第一イネーブル信号を受信した際に、前記制御モジュールは前記第一エアポンプを駆動し、気体を前記気体充填レースから導出することで、前記気体充填レースは気体が漏れ、緩め、使用者のシューズ脱着に利がある。
【図面の簡単な説明】
【０００８】
【図１】図１は本願発明に係る好ましい実施例における靴用気圧固定装置の構造指示図である。
【図２】図２は本願発明に係る好ましい実施例におけるスポーツシューズの構造分解指示図である。
【図３】図３は本願発明に係る好ましい実施例における靴用気圧固定装置の気体充填レース指示図である。
【図４Ａ】図４Ａは本願発明にかかる気体充填レースの初期状態指示図である。
【図４Ｂ】図４Ｂは図４Ａの気体充填レースの分解指示図である。
【図４Ｃ】図４Ｃは図４Ａの気体充填レースの気体充填膨張指示図である。
【図４Ｄ】図４Ｄは本願発明に係る第二実施例における気体充填レースの繋部の初期状態指示図である。
【図４Ｅ】図４Ｅは図４Ｄに係る気体充填レースの繋部気体充填膨張指示図である。
【図４Ｆ】図４Ｆは本願発明に係る第三実施例における気体充填レースの繋部初期状態指示図である。
【図４Ｇ】図４Ｇは図４Ｆに係る気体充填レースの繋部気体充填膨張指示図である。
【図４Ｈ】図４Ｈは本願発明に係る好ましい第四実施例における気体充填レースの繋部初期状態指示図である。
【図４Ｉ】図４Ｉは図４Ｈにかかる気体充填繋部の気体充填膨張指示図である。
【図４Ｊ】図４Ｊは本願発明に係る好ましい第五実施例における気体充填レースの繋部初期状態指示図である。
【図４Ｋ】図４Ｋは図４Ｊに係る気体充填レースの繋部気体充填膨張指示図である。
【図５Ａ】図５Ａは本願発明に係る実施例における靴用気圧固定装置の構造指示図である。
【図５Ｂ】図５Ｂは本願発明に係るもう一つの好ましい実施例における靴用気圧固定装置の構造指示図である。
【図６】図６は本願発明に係る好ましい実施例において靴用気圧固定装置の気体流通方向指示図である。
【図７Ａ】図７Ａは本願発明に係る好ましい実施例において靴用気圧固定装置の初期状態断面図である。
【図７Ｂ】図７Ｂは本願発明に係る好ましい実施例において靴用気圧固定装置の装着状態断面図である。
【図８Ａ】図８Ａは本願発明に係る好ましい実施例においてエアポンプの立体構造指示図である。
【図８Ｂ】図８Ｂは本願発明に係る好ましい実施例においてエアポンプの立体構造斜視図である。
【図９Ａ】図９Ａは図８Ａ及び図８Ｂに係る圧電アクチュエータ正面構造指示図である。
【図９Ｂ】図９Ｂは図８Ａ及び図８Ｂに係る圧電アクチュエータ背面構造指示図である。
【図９Ｃ】図９Ｃは図８Ａ及び図８Ｂに係る圧電アクチュエータ断面構造指示図である。
【図１０】図１０は図８Ａ及び図８Ｂに係るエアポンプ断面構造指示図である。
【図１１Ａ】図１１Ａ乃至図１１Ｄは図８Ａ及び図８Ｂに係るエアポンプ動作行程指示図である。
【図１２Ａ】図１２Ａは本願発明に係るもう一つの好ましい実施例におけるエアポンプの分解構造図である。
【図１２Ｂ】図１２Ｂは本願発明に係るもう一つの好ましい実施例におけるエアポンプの分解構造斜視図である。
【０００９】
本願発明の特徴と利点を体現するいくつかの典型的実施例について、以下で詳細に説明する。本願発明は異なる態様において各種の変化が可能であり、そのいずれも本願発明の範囲を逸脱せず、かつ本願発明の説明及び図面は本質的に説明のために用いられ、本願発明を制限するものではないことが理解されるべきである。
【００１０】
図１及び図２を参照すると、図１は、本願発明に係るより良い実施例における、靴用気圧固定装置の構造指示図であり、図２は、本願発明に係るより良い実施例における、スポーツシューズ分解指示図である。図１に示すように、本願発明にかかる靴用気圧固定装置１は、例えばスポーツシューズや、パンプス、ハイヒール等の各種シューズに適しているが、これに限らない。本願実施例におけるスポーツシューズ２に採用される前記靴用気圧固定装置１を例えとして説明を行うと、前記スポーツシューズ２は、靴体２１と、底部２２と、革舌２５と、を包含している。図２に示すように、前記靴体２１は、複数個のレースホール２１ａを包含し、各種レースが前記レースホール２１ａを貫通し、前記底部２２は、更に中敷き２２ａと、靴底２２ｂと、を有し、そのうち、前記靴体２１と、前記底部２２にある前記靴底２２ｂと、は互いに連接し、前記革舌２５と前記靴体２１は互いに連接することで、設置空間２３及び開口２４を定義し、前記中敷き２２ａは、前記設置空間２３中に対応して設置され、前記靴底２２ｂと、連通し、前記中敷き２２ａの形態が前記靴底２２ｂとほとんど同等であり、輪郭だけは前記靴底２２ｂより小さく、且つ前記靴底２２ａ及び前記靴底２２ｂの外観形態と、厚さ等は、実際の状況により変化する。ユーザーの足部は前記靴体２１の前記開口２４より、前記スポーツシューズ２を脱着でき、且つユーザーの足部が前記開口２４を経て前記スポーツシューズ２内部に嵌入する際、前記設置空間２３中に設置される。
【００１１】
図１及び図２を参照すると、本願実施例において、本願発明に係る前記靴用気圧固定装置１は、気体充填レース１０と、第一エアポンプ１２と、第二エアポンプ１２’と、制御モジュール１５と、電池１６と、を包含するが、これに限らない。そのうち、前記気体充填レース１０は、前記靴体２１の複数個のレースホール２１ａを貫通して設置され、前記革舌１１上に貼り付けられて設置されるが、これに限らない。本願実施例に係る前記第一エアポンプ１２は、単一方向のエアポンプであるが、これに限らない。本願実施例の前記制御モジュール１５と、前記電池１６と、は、前記底部２２の前記中敷き２２ａと、靴底２２ｂと、の間に設置され、前記制御モジュール１５は、前記第一エアポンプ１２及び前記第二エアポンプ１２’と、電気的連接し、前記電池１６は、前記制御モジュール１５にエネルギを提供するために用いられる。
【００１２】
図２及び図３を同時に参照すると、図３は、本願発明におけるより良い靴用気圧固定装置の気体充填レースを示している。図に示すように、本願実施例における前記気体充填レース１０は、空気を充填して膨張する構造とすることができ、且つ前記靴用気圧固定装置１は更にエアバック部１４と、第一気体通路１３ａ及び第二気体通路１３ｂと、を包含し、前記エアバック部１４は、前記革舌２５の外側表面上に張り付き、前記気体充填レース１０は、前記靴体２１にある複数個の前記レースホール２１ａ中を貫通して設置し、前記第一気体通路１３ａと前記第二気体通路１３ｂと、は前記エアバック部１４と、前記気体充填レース１０と、の間にそれぞれ連通し、前記第一エアポンプ１２は、前記第一気体通路１３ａ内と連通して設置し、前記気体充填レース１０から前記エアバック部１４に導入することで、前記気体充填レース１０が気体を漏らし緩め、ユーザーが前記スポーツシューズ２を脱着するのに利があり、前記第二エアポンプ１２’は、前記第二エアポンプ１２’は、前記第二気体通路１３ｂに連通して設置され、且つ、前記第二エアポンプ１２’と、前記制御モジュール１５と、が電気的連接し、気体を前記エアバック部１４殻前記気体充填レース１０に導入されることで、気体は迅速に前記気体充填レース１０に充填され、並びに前記気体充填レース１０は、気体充填により、膨張して緊縛し、且つ、完全にユーザーの足部に張り付き、即ちユーザーの足部と踝とが連接する枠縁と、ユーザーの足部を、前記スポーツシューズ２内に安定して固定するのに利があり、その他にも、前記気体充填レース１０と、前記エアバック部１４の二段式設置により、前記スポーツシューズ２の前記靴体２１が、活動時において湾曲してユーザーの足部を圧迫することを防ぎ、履き心地がよく、安全の効果を達成できる。前記第一エアポンプ１２と、前記第二エアポンプ１２’の設置を介して、前記気体充填レース１０及び前記エアバック部１４との間に流通する気体を制御し、並びに気体が流動することで、前記気体充填レース１０を緩めたり、きつくしたりでき、脱着或いは安定して固定する効果を達成することができる。
【００１３】
図４Aと図４Bを参照すると、図４Aは、本願発明に係る第一実施例における気体充填レースの初期状態指示図であり、図４Bは、図４Aに係る気体充填レースの分解指示図であり、図４Cは、図４Aに係る気体充填レースの気体充填膨張指示図である。図４Aに示すように、本願に係る第一実施例において、前記気体充填レース１０は、繋部１０ａ及び連接部１０ｂを、有し、本願実施例においては、３つの前記繋部１０ａと、二つの前記連接部１０ｂとで説明を行うがこれに限らず、数量及び設置方式は実際の状況によって任意に変化させて良い。また、図４Bは、本願実施例において、全ての前記繋部１０ａの両端がそれぞれ通孔１０ｅを有し、且つ、前記連接部１０ｂ表面上にも、対応した通孔（図示していない）を有し、並びに前記通孔１０ｅを介して、前記繋部１０ａ及び連接部１０ｂとの間に連通し、気体の流通を実現している。気体が前記気体充填レース１０に導入される際、前記気体充填レース１０は膨張し、図４に示すように、３つの前記繋部１０ａを通して、気体を充填させて内側に収縮することで、一般的なレースと同様な緊縛効果を達成でき、且つ、前記気体充填レース１０は、気体充填構造であり、弾性が比較的よく、一般的なレースのように、弾性が不足し、履き心地が悪くなることを避けている。気体が前記気体充填レース１０から導出された時、３つの前記繋部１０ａは、空気を漏らして緩め、図４Ａに示すような初期状態に戻り、前記繋部１０ａを介して空気を漏らして緩めることで、一般のレースと同様の効果を達成でき、ユーザーの脱着に利がある。この他にも、本願実施例において、前記気体充填レース１０は、人工筋肉気体充填レースであって、例えばアミノ酸などのスマート素材である電気活性ポリマーから構成され、エネルギの制御を介して、材料内部の構造を伸縮、湾曲、束縛、膨張等することができ、並びに生物筋肉並の弾性及び柔軟度を有し、前記人工筋肉気体充填レースの気体充填による束縛或いは膨張は、ユーザーに最高のシューズ体験をさせる。
【００１４】
図４Ｄ及び図４Ｅを同時に参照すると、図４Dは、本願発明に係る第二実施例における気体充填レースの繋部の初期状態指示図であり、図４Ｅは図４Ｄの気体充填の繋部の気体充填膨張指示図を示している。図４Ｄは、本願発明に係る第二実施例において、前記気体充填レース１０の前記繋部１０ａは、更に副数個の膨張部１０ｆ及び複数個の連通部１０ｇと、を包含し、すべての前記連通部１０ｇは、上下両端が交わる方式で、全ての前記膨張部１０ｆとの間に連通し、並びに複数個の間隙１０ｈをすべての前記膨張部１０ｆと、の間に定義し、複数個の「逆Ｓ字」に似た構造により、紐状レース構造とするが、これに限らない。気体が、前記気体充填レース１０に導入された場合、前記気体充填レース１０の繋部１０ａは、充填されて膨張することで、複数個の前記膨張部１０ｆ及び複数個の連通部１０ｇが充填されて膨張し、並びに複数個の前記間隙１０ｈを充填し、図４Ｅのように一般的なレースによる緊縛の効果を達成でき、ユーザーの足部を固定する。同様に、気体が前記気体充填レース１０から導出された時、前記気体充填レース１０の前記繋部１０ａは、空気を漏らして緩め、図４Ｄに示すような初期状態に戻り、前記繋部１０ａを介して空気を漏らして緩めることで、一般のレースと同様の効果を達成でき、ユーザーの脱着に利がある。
【００１５】
図４F及び図４Gを同時に参照すると、図４Fは、本願発明に係る第三実施例における気体充填レースの繋部の初期状態指示図であり、図４Gは図４Fの気体充填の繋部の気体充填膨張指示図を示している。図４Fは、本願発明に係る第三実施例において、前記気体充填レース１０の前記繋部１０ａは、更に複数個の膨張部１０ｆ及び、複数個の連通部１０ｇと、を包含し、すべての前記連通部１０ｇは、隣り合うすべての前記膨張部１０ｆと、の間に直接連接し、副数個の間隙１０ｈを定義し、すべての隣り合う前記膨張部１０ｆ、との間に、紐状のレース構造を構成している。気体が前記気体充填レース１０に導入された際、前記気体充填レース１０の前記繋部１０ａは空気充填により膨張することで、前記繋部１０ａは気体充填して膨張し、内側に向かって収縮し、複数個の前記膨張部１０ｆ及び複数個の連通部１０ｇも気体充填により膨張し、複数個の前記間隙１０ｈを充填することで、図４Ｇのように一般的なレースの緊縛効果と同等な効果を達成でき、ユーザーの足部を固定できる。気体が前記気体充填レース１０から導出される際、前記気体充填レース１０の前記繋部１０ａは、気体を漏らして、緩め、初期状態に戻り、図４Ｆに示すように前記繋部１０ａを介して、空気を漏らして緩め、一般的なレースと同等の緩む効果を達成でき、ユーザーの足部が脱着するのに利がある。
【００１６】
図４Ｈ及び図４Ｉを同時に参照すると、図４Ｈは、本願発明に係る第四実施例における気体充填レースの繋部の初期状態指示図であり、図４Ｉは図４Ｈの気体充填の繋部の気体充填膨張指示図を示している。図４Ｈは、本願発明に係る第四実施例において、前記気体充填レース１０の前記繋部１０ａは、更に２つの通孔１０ｅと、複数個の膨張部１０ｆと、複数個の連通部１０ｇと、外層１０Ｉと、を包含し、複数個の膨張部１０ｆと、複数個の連通部１０ｇと、は、前記外層１０Ｉ中に設置され、２つの前記通孔１０ｅは、前記外層１０Ｉの両端にそれぞれ設置され、並びに２つの前記通孔１０ｅと、両端の前記膨張部１０ｆと、が互いに連通することを介して、気体流通を提供し、前記連通部１０ｇは、すべての隣り合う前記膨張部１０ｆと、の間に連接され、複数個の前記間隙１０ｈがすべての前記膨張部１０ｆと、の間に定義し、紐状のレース構造を構成するが、これに限らない。気体が前記気体充填レース１０に導入された場合、前記気体充填レース１０の前記繋部１０ａは、充填されて膨張し、前記繋部１０ａは気体充填して、内側に向かって収縮することで、複数個の前記膨張部１０ｆ及び複数個の連通部１０ｇが充填されて膨張し、並びに複数個の前記間隙１０ｈを充填し、前記繋部１０ａが、充填して膨張後、図４Ｉのように、一般的なレースによる緊縛の効果を達成でき、ユーザーの足部を固定する。同様に、気体が前記気体充填レース１０から導出された時、前記気体充填レース１０の前記繋部１０ａは、空気を漏らして緩め、図４Ｈに示すような初期状態に戻り、前記繋部１０ａを介して空気を漏らして緩めることで、一般のレースと同様の効果を達成でき、ユーザーの脱着に利がある。本願実施例において、前記繋部１０ａは、更にノズル１０ｊを包含し、前記ノズル１０ｊも前記連通部１０ｇが前記膨張部１０ｆに連通することを介して、例えばエアポンプ、空気入れなどの充填装置を提供している。
【００１７】
図４J及び図４Kを同時に参照すると、図４Jは、本願発明に係る第五実施例における気体充填レースの繋部の初期状態指示図であり、図４Kは図４Jの気体充填の繋部の気体充填膨張指示図を示している。図４Jは、本願発明に係る第五実施例において、前記気体充填レース１０の前記繋部１０ａは、更に２つの通孔１０ｅと、複数個の膨張部１０ｆと、複数個の連通部１０ｇと、外層１０Ｉと、を包含し、複数個の膨張部１０ｆと、複数個の連通部１０ｇとは、前記外層１０Ｉ中に設置され、２つの前記通孔１０ｅは、前記外層１０Ｉの両端にそれぞれ設置され、並びに２つの前記通孔１０ｅと、両端の前記膨張部１０ｆと、が互いに連通することを介して、気体流通を提供し、すべての前記連通部１０ｇは、すべての隣り合う前記膨張部１０ｆと、の間に連接され、複数個の前記間隙１０ｈがすべての前記膨張部１０ｆと、の間に定義し、紐状のレース構造を構成するが、これに限らない。気体が、前記気体充填レース１０に導入された場合、前記気体充填レース１０にある前記繋部１０ａは、充填されて膨張することで、前記繋部１０ａが気体充填され、内側に向かって収縮し、複数個の前記膨張部１０ｆ及び複数個の連通部１０ｇも充填されて膨張し、並びに複数個の前記間隙１０ｈは、図４Kのように一般的なレースによる緊縛の効果を達成でき、ユーザーの足部を固定する。同様に、気体が前記気体充填レース１０から導出された時、前記気体充填レース１０の前記繋部１０ａは、空気を漏らして緩め、図４Jに示すような初期状態に戻り、前記繋部１０ａを介して空気を漏らして緩めることで、一般のレースと同様の効果を達成でき、ユーザーの脱着に利がある。これらの実施例において、前記繋部１０ａは、更にノズル１０ｊを包含し、前記ノズル１０ｊも前記連通部１０ｇが前記膨張部１０ｆに連通することを介して、例えばエアポンプ、空気入れなどの充填装置を提供している。
【００１８】
図５Ａ、図６、図７Aと、図７Bを参照すると、本願発明に係る好ましい実施例における靴用気圧固定装置の取り付け指示図であり、図６は、本願発明に係る好ましい実施例における靴用気圧固定装置の気体流通方向指示図であり、図７Aは、本願発明に係る好ましい実施例におけるスポーツシューズの初期状態断面指示図であり、図７Bは、本願発明に係る好ましい実施例におけるスポーツシューズ着用断面指示図である。図５Ａを参照すると、本願発明に係る前記靴用気圧固定装置１は、更にスイッチ１７を包含し、前記スイッチ１７は、前記制御モジュール１５と電気的連接し、前記スイッチ１７は、ユーザーが前記靴用気圧固定装置１を制御するために操作するものであって、具体的な実施例は図７Ａ、図７Ｂを参照すると、ユーザーが足部を前記スポーツシューズ２の前記設置空間２３に挿入した際、ユーザーは、スイッチ１７のスイッチを入れることで、前記スイッチ１７は、第二イネーブル信号を前記制御モジュール１５に送信し、前記制御モジュール１５は、第二イネーブル信号に基づき、前記第二エアポンプ１２’を制御することで、気体を前記エアバック部１４中から前記気体充填レース１０に導入し、前記設置空間２３に向かって内側に収縮し、並びに前記気体充填レース１０は、気体充填により膨張、緊縛し、図７Bに示すようにユーザーの足部位張り付いており、これに反して、ユーザーの足部が前記スポーツシューズ２を離脱した際、前記スイッチ１７のスイッチを切ることで、前記スイッチ１７は、第一イネーブル信号を前記制御モジュール１５に送信し、前記制御モジュール１５は、第一イネーブル信号に基づき、前記第一エアポンプ１２を制御することで、気体を前記気体充填レース１０から前記エアバック部１４中に導入し、前記気体充填レース１０は、気体を漏らして緩め、並びに前記設置空間２３から遠離する方向に向かって凸出することで、前記開口２４が増大し、ユーザーが前記スポーツシューズ２（図７Ａの様に）を脱着するのに利がある。
【００１９】
この他にも、図５Bを参照すると、図５Bは、本願発明に係る好ましい実施例における靴用気圧固定装置の構造指示図である。図のように、本願発明に係るもう一つの実施例における前記靴用気圧固定装置１は、更に圧力センサ１７’を包含し、前記圧力センサ１７’は、前記制御モジュール１５と電気的連接し、本願実施例において、前記圧力センサ１７’は、前記スポーツシューズ２の前記底部２２に設置することができ、ユーザーが足部を前記スポーツシューズ２の前記設置空間２３に挿入した際、前記圧力センサ１７’が、圧力を観測した後、第二イネーブル信号を前記制御モジュール１５に送信し、前記制御モジュール１５は、第二イネーブル信号に基づいて、前記第二エアポンプ１２’を制御することで、気体を前記エアバック部１４中から前記気体充填レース１０内に導入でき、前記革舌２５は前記設置空間２３に向かって内側に収縮し、並びに前記気体充填レース１０は、気体充填により膨張、緊縛し、ユーザーの足部に張り付くことで、ユーザーが足部を前記スポーツシューズ２に挿入後、前記スポーツシューズ２の前記気体充填レース１０を気体充填して内側に向かって圧迫し、自動固定の効果を達成する。
【００２０】
本願実施例において、前記靴用気圧固定装置１は、更にレース気圧センサ（図示していない）を包含し、そのうち、前記レース気圧センサは前記気体充填レース１０内部に設置され、前記レース気圧センサが前記気体充填レース１０内部の圧力が特定の値区域より高いことが観測された場合、前記革舌気圧センサは第二インバリッド信号を前記制御モジュール１５に送信し、前記制御モジュール１５は、前記第二インバリッド信号に基づき、前記第二エアポンプ１２’を制御して停止させ、前記気体充填レース１０内部の圧力過度により破裂することを防ぎ、前記第二エアポンプ１２’が長時間持続運転し、動作寿命の減少を防ぐ事もできる。更には、本願実施例において、前記靴用気圧固定装置１は、吸気バルブ（図示していない）を更に包含し、前記吸気バルブは前記気体充填レース１０或いは前記エアバック部１４上に設置されるが、これに限らず、前記吸気バルブは前記制御モジュール１５と電気的連接し、前記レース気圧センサが前記気体充填レース１０内の気圧を検測し、特定の値エリア出なかった場合、前記レース気圧センサは吸気信号を前記制御モジュール１５に送信し、前記制御モジュール１５は、吸気信号に基づき、前記吸気バルブを駆動し、吸気を行うことで、気体を前記靴用気圧固定装置１の外部から前記気体充填レース１０内に導入し、前記気体充填レース１０内部の圧力が過度に低くて固定効果が好ましくないことを回避する。
【００２１】
図８Ａ、８Ｂを参照すると、図８Ａは、本願発明に係る好ましい実施例におけるエアポンプの正面分解指示図であり、図８Ｂは、本願発明に係る好ましい実施例におけるエアポンプの背面分解指示図である。実施例において、前記第一エアポンプ１２は、圧電アクチュエータエアポンプであり、駆動させ気体を流動させるために用いる。図に示すように、本願発明に係る前記第一エアポンプ１２は、共振片１２２、圧電アクチュエータ１２３、カバー板１２６などのパーツを包含している。前記共振片１２２は、前記圧電アクチュエータ１２３に対応して設置され、並びに中空孔洞１２０を有し、前記共振片１２２を中心エリアに設置するが、これに限らない。前記圧電アクチュエータ１２３は、懸吊板１２３１と、外枠１２３２と、圧電ユニット１２３３と、を有し、そのうち前記懸吊板１２３１は、これに限らないが、正方形状の懸吊板であり且つ、懸吊板１２３１は、中心部１２３１ｃ及び外周部１２３１ｄを有し、前記圧電ユニット１２３３が電圧駆動を受けた際、前記懸吊板１２３１は、前記中心部１２３１ｃから前記外周部１２３１ｄまで湾曲振動し、前記外枠１２３２は、前記懸吊板１２３１の外側を囲繞して設置され、且つ少なくとも１つのフレーム１２３２ａ及び導電ピン１２３２ｂを有し、全ての前記フレーム１２３２ａは、前記懸吊板１２２３１及び前記外枠１２３２の間に設置され、すべての前記フレーム１２３２ａは、前記懸吊板１２３１及び前記外枠１２３２の間に設置され、且つ、すべての前記フレーム１２３２ａの両端は前記懸吊板１２３１及び前記外枠１２３２にそれぞれ連接して弾性支持を提供し、前記導電ピン１２３２ｂは、前記外枠１２３２上に外へ向かって凸設して、電気的連接に用いり、前記圧電ユニット１２３３は、前記懸吊板１２３１の第二表面１２３１ｂに張り付き、且つ、前記圧電ユニット１２３３の長辺が前記懸吊板１２３１の長辺より小さい或いは同等であり、外部電圧により変形が生じるのを受け止めるために用いり、前記懸吊板１２３１を駆動し、湾曲振動させる。前記カバー板１２６は、側壁１２６１と、底板１２６２と、開口部１２６３とを有し、前記側壁１２６１は、前記底板１２６２の周辺を囲繞し、前記底板１２６２上に凸設され、並びに前記底板１２６２は共に収容空間１２６ａを形成し、前記共振辺１２２及び前記圧電アクチュエータ１２３をその内部に設置するために用いり、前記開口部１２６３は、前記側壁１２６１上に設置され、前記外枠１２３２の前記導電ピン１２３２ｂが前記開口部１２６３を貫通し、前記カバー板１２６の外へ向かって凸出することで、外部電源と電気的連接できるが、これに限らない。
【００２２】
本願実施例において、本願発明に係る前記第一エアポンプ１２は、更に二つの絶縁片１２４１、１２４２と、導電片１２５を包含しているが、これに限らない。そのうち、前記二つの絶縁片１２４１、１２４２は、前記導電片１２５の上下にそれぞれ設置され、その外径は前記圧電アクチュエータ１２３の前記外枠１２３２とほとんど同じであり、且つ、プラスチックなどの絶縁素材からなり、絶縁を行うために用いるがこれに限らない。前記導電片１２５は、金属等の導電素材からなり、通電を行うためにもち入り、且つ外見は前記圧電アクチュエータ１２３の前記外枠１２３２とほとんど同じであるが、これに限らない。更に、本願実施例において、前記導電片１２５上には、通電を行うために用いる導電ピン１２５１を設置することもでき、前記導電ピン１２５１も、前記外枠１２３２の前記導電ピン１２３２ｂが前記カバー板１２６にある前記開口部１２６３を貫通し、前記カバー板１２６の外へ向かって凸出することで、前記制御モジュール１５と、電気的連接するのに利便がある。
【００２３】
図９Ａ乃至図９Ｃを参照すると、図９Ａ、図８Ａ、図８Ｂは、圧電アクチュエータの正面構造指示図であり、図９Ｂは、図８Ａ及び図８Ｂに示す圧電アクチュエータ背面構造指示図であり、図９Ｃは、図８Ａ及び図８Ｂに示す圧電アクチュエータの分解構造指示図である。図のように、実施例において、本願に係る前記懸吊板１２３１は、階段面構造であり、即ち、前記懸吊板１２３１の第一表面１２３１ａの中心部１２３１ｃ上に、凸部１２３１ｅを更に有し、且つ前記凸部１２３１ｅは、円形凸起構造であるがこれに限らず、ある実施例において、前記懸吊板１２３１も両面平面の正方形状板とすることもできる。また、図９Ｃに示すように、前記懸吊板１２３１の前記凸部１２３１ｅは、前記外枠１２３２の前記第一表面１２３２ｃと同じ平面であり、且つ、前記懸吊板１２３１の前記第一表面１２３１ａ及び、前記フレーム１２３２ａの第一表面１２３２ａ’も同じ平面であり、その他に、前記懸吊板１２３１の前記凸部１２３１ｅ及び前記外枠１２３２の前記第一表面１２３２ｃと、前記懸吊板１２３１の前記第一表面１２３１ａ及び前記フレーム１２３２ａの前記第一表面１２３２ａ’と、の間には特定に深度を有する。前記懸吊板１２３１の第二表面１２３１ｂは、図１１Ｂ及び図１１Ｃに示すように前記外枠１２３２の第二表面２１３２ｄ及び前記フレーム１２３２ａの第二表面１２３２ａ”と、は共に平面構造であり、前記圧電ユニット１２３３は、平面である前記懸吊板１２３１の前記第二表面１２３１ｂに張り付いている。その他の実施例において、前記懸吊板１２３１の形態は、両面平面の正方形板状構造とすることもできるが、これに限らず、実際の状況によって、任意に変化できる。また、この他の実施例において、前記懸吊板１２３１と、前記外枠１２３２と、前記フレーム１２３２ａと、は一体形成の構造とすることができ、且つ、ステンレス素材などの金属板から構成されるが、これに限らない。そして、本願実施例において、本願発明に係る前記第一エアポンプ１２は、前記懸吊板１２３１と、前記外枠１２３２と、前記フレーム１２３２ａと、の間に少なくとも一つの間隙１２３４を有し、気体通過に用いる。
【００２４】
図１０を参照すると、図１０は、図８Ａ及び図８Ｂに示すエアポンプの分解構造指示図である。図に示すように、本願発明に係る前記第一エアポンプ１２は、前記カバー板１２６、前記絶縁片１２４２、前記導電片１２５、前記絶縁片１２４１、前記圧電アクチュエータ１２３、前記共振片１２２、の順で、上から下に積み重ね、且つ、積み重ねて組み立てた後の前記圧電アクチュエータ１２３と、前記絶縁片１２４１と、前記導電片１２５と、もう一つの前記絶縁片１２４２と、の周辺四辺をコロイドゲルによって完全密閉している。組み立てた後の第一エアポンプ１２は、四辺形の構造であるが、これに限らず、実際の状態に応じて、任意に変化させて良い。その他に、本願実施例において、前記導電片１２５の前記導電ピン１２５１（図示していない）と、圧電アクチュエータ１２３の前記導電ピン１２３２ｂ（図８Ａに図示している）が前記カバー板１２６外に凸設し、外部電源と連接するのに便利であるが、これに限らない。組み立て後の前記第一エアポンプ１２は、前記カバー板１２６と、前記共振片１２２と、の間に第一チャンバ１２７ｂを形成している。
【００２５】
実施例において、本願発明に係る前記第一エアポンプ１２の前記共振片１２２と、前記圧電アクチュエータ１２３と、の間には、間隙ｇ０を有し、且つ、前記間隙ｇ０中には導電ゲル等の導電材料を充填するが、これに限らない。前記共振片１２２と、前記圧電アクチュエータ１２３の前記懸吊板１２３１にある前記凸部１２３１ｅと、の間に前記間隙ｇ０の深さを維持し、気流を導引し、更に迅速流動でき、且つ、前記懸吊板１２３１の前記凸部１２３１ｅと前記共振片１２２が適切な距離を保持することで、互いの干渉が減少し、騒音を抑えることができ、もう一つの実施例においては、前記圧電アクチュエータ１２３の前記外枠１２３２の高さに高さを加えることもでき、前記共振片１２２と組み立てる際に間隙がふえるが、これに限らない。これにより、前記圧電アクチュエータ１２３が駆動を受け、吸気作業を進行する際、気体は前記カバー板１２６の前記開口部１２６３から前記合流チャンバ１２７ａに集合し、更に一歩、前記共振片１２２の前記中空孔洞１２２０から前記第一チャンバ１２７ｂへ一時的に保存され、前記圧電アクチュエータ１２３が駆動を受け、排気作業を進行する際、気体は、前記第一チャンバ１２７ｂから前記共振片１２２の前記中空孔洞１２２０を通過し、前記合流チャンバ１２７ａに流れ、並びに前記気体充填レース１０から前記エアバック部１４内に導入される。
【００２６】
図１１Ａ乃至１１Ｄを同時参照し、以下に本願発明に係る前記第一エアポンプ１２の動作ステップを説明すると、図１１Ａ乃至図１１Ｄは、本願発明に係る好ましい実施例におけるエアポンプの動作過程指示図である。まず、図１１Ａに示すように、前記第一エアポンプ１２の構造は上述説明したように、前記カバー板１２６、前記絶縁片１２４２、前記導電片１２５、もう一つの前記絶縁片１２４１、前記圧電アクチュエータ１２３、前記共振片１２２の順で組み立てられ、前記共振片１２２と、前記圧電アクチュエータ１２３と、の間には間隙ｇ０を有し、且つ前記共振片１２２及び前記カバー板１２６の側壁１２６１は共に前記合流チャンバ１２７ａを定義し、前記共振片１２２と前記圧電アクチュエータ１２３と、の間に前記第一チャンバ１２７ｂを有している。前記第一エアポンプ１２が電圧駆動を受けなかった場合、各ユニットの一は図１１Ａに示すとおりである。
【００２７】
続いて図１１Ｂを参照すると、前記第一エアポンプ１２の前記圧電アクチュエータ１２３は、圧電素子により、上向きに振動した際、気体は前記カバー板１２６の前記開口部１２６３から前記第一エアポンプ１２中に進入し、並びに前記合流チャンバ１２７ａに合流し、次に前記共振片１２２上の中空孔洞１２２０を上に向かって前記第一チャンバ１２７ｂ内に流入し、同時に前記共振片１２２が、前記圧電アクチュエータ１２３の前記懸吊板１２３１の振動を受けて、随時往復式振動を実行しており、即ち、前記共振片１２２は、随時上向きに変形し、前記共振片１２２が前記中空孔洞１２２０にて上向きに少し凸出している。
【００２８】
その後、図１１Ｃに示すように、この時、前記圧電アクチュエータ１２３は、下向きに振動し、初期位置に戻っており、この際、前記圧電アクチュエータ１２３の前記懸吊板１２３１上の前記凸部１２３１ｅは、前記共振片１２２の前記中空孔洞１２２０の少し上向きに凸出した部分に接近し、前記第一エアポンプ１２内部の気体を、上半層の前記第一チャンバ１２７ｂに一時的に保存する。
【００２９】
また、図１１Ｄに示すように、前記圧電アクチュエータ１２３は、また下向きに振動し、且つ前記共振片１２２は、前記圧電アクチュエータ１２３の振動による共振作用を受け、前記共振片１２２は随時下向きに振動し、前記共振片１２２の下向きによる変形は、前記第一チャンバ１２７ｂの体積を圧縮し、上半層の前記第一チャンバ１２７ｂ内の気体を両側に押しやり流動させ、並びに前記圧電アクチュエータ１２３の前記間隙１２３４が下向きに通り越して流通し、前記共振片１２２の前記中空孔洞１２２０に流れ、圧縮して排出し、前記開口２０４殻前記キャリア２０にある前記第一導流チャンバ２０２を介して気体を圧縮するチャンバを形成している。
【００３０】
最後に図１１Ａに示すように前記共振片１２２は、初期位置に戻り、上述の操作行程を介して、図１１Ａから図１１Ｄの順に循環を維持しして行い、気体はとめどなく、前記カバー板１２６の前記開口１２６３から前記合流チャンバ１２７ａに流入してから前記第一チャンバ１２７ｂに流入し、並びに前記第一チャンバ１２７ｂから前記合流チャンバ１２７ａ中に流入し、気流が前記気体充填レース１０から連続で前記エアバック部１４内に流入させることで、安定した気体輸送ができる。言い換えれば、本願発明に係る前記第一エアポンプ１２が運転時に、気体は前記カバー板１２６の前記開口部１２６３、前記合流チャンバ１２７ａ、前記第一チャンバ１２７ｂ、前記合流チャンバ１２７ａ、気体導入開口２０４の順で流れ、故に本願発明に係る前記第一エアポンプ１２は、単一のユニットを介することで、即ち前記カバー板１２６の前記開口部１２６３の構造設計を利用し、前記第一エアポンプ１２のユニット数を削減することができ、製作の簡易化が達成できる。
【００３１】
図１２Ａ、図１２Ｂを参照すると、図１２Ａは、本願発明に係るもう一つの好ましい実施例におけるエアポンプの正面分解構造指示図であり、図１２Ｂは、本願発明に係るもう一つの好ましい実施例におけるエアポンプの背面分解構造図である。本願発明に係るもう一つの好ましい実施例において、前記第一エアポンプ１２は、前記カバー板１２６、前記絶縁片１２４２、前記導電片１２５、もう一つの前記絶縁片１２４１、前記圧電アクチュエータ１２３、前記共振片１２２が積み重なり、組み立てられ、そのユニット構造及び設置方式は上述の実施例と同じであり、故にもう一度説明しない。本願実施例の前記第一エアポンプ１２は、更に吸気板１２１を有し、そのうち、前記吸気板１２１は、前記共振片１２２に積み重ねて取り付けられ、且つ、前記吸気板１２１は、第一表面１２１ａと、第二表面１２１ｂと、少なくとも一つの吸気孔１２１０を有し、本願実施例において、前記吸気孔１２１０の数量は４つだが、これに限らず、前記吸気板１２１にある前記第一表面１２１ａ及び前記第二表面１２１ｂを貫通しており、主に装置外部から気体を大気圧の作用を利用して、少なくとも一つの前記吸気孔１２１０から前記第一エアポンプ１２内に流入している。且つ図１４Ｂに示すように、前記吸気板１１にある前記第一表面１２１ｂは、少なくとも一つの気体ガイド１２１２を有し、前記吸気板１２１にある前記第二表面１２１ｂの少なくとも一つの前記吸気孔１２１０に対応して設置されている。前記気体ガイド１２１２の中心が交差する一には、中心凹部１２１１を有し、且つ前記中心凹部１２１１は、前記気体ガイド１２１２と互いに連通することで、少なくとも一つの前記吸気口１２１０から  前記気体ガイド１２１２の気体を引導、並びに前記中心凹部１２１１へ集中させ、気体が有効的に前記共振片１２２にある前記中空孔洞１２２０に合流し、気体を前記第一エアポンプ１２内部に輸送します。前記吸気板１２１が一体形成である前記吸気孔１２１０と、前記気体ガイド１２１２及び前記中心凹部１２１１を有し、且つ、前記中心凹部１２１１は、合流気体に対応して形成される合流チャンバであり、気体を一時的に保存している。これらの実施例において、前記吸気板１２１の材質は、ステンレス等により構成されるが、これに限らない。この他の実施例において、前記中心凹部１２１１に、前記気体ガイド１２１１と深さが同様である合流チャンバを構成するが、これに限らない。前記共振片１２は、フレキシブルな素材から構成されるが、これに限らず、前記共振片１２上には中空孔洞１２０を有し、前記吸気板１２１にある前記第一表面１２１ｂの前記中心凹部１２１１に対応して設置されることで、気体は下向きに流通している。この他の実施例において、前記共振片は銅から構成されるが、これに限らない。
【００３２】
上述より、前記第一エアポンプ１２の作動を通して、気体を前記気体充填レース１０から前記エアバック部１４内に導入し、前記気体充填レース１０が空気を漏らし、緩めることで、並びに前記スポーツシューズ２の前記開口２４及び前記設置空間２３が拡大し、ユーザーが前記スポーツシューズ２を脱着するのに利がある。その他に、本願の前記第二エアポンプ１２’の構造は前記第一エアポンプ１２と同等であり、故にもう一度説明しない。前記第二エアポンプ１２’は、気体を前記気体充填革舌１１から前記エアバック部１４に導入し、並びに前記スポーツシューズ２の前記開口２４及び前記設置空間２３を縮小し、ユーザーの足部を前記スポーツシューズ２内にしっかりと固定する。
【００３３】
以上より、ユーザーの脱着状態に基づき、制御モジュールを介して、第一エアポンプ或いは第二エアポンプを駆動し、ユーザーの着用状態時において、排気して内に圧縮したり、気体充填レースに給気してきつくしたり、制御することで、ユーザーの足部を安定して固定しており、使用者の脱着状態時において、レースが排気して緩めることで、使用者の足部が脱着するのに便利である。その他、靴用気圧固定装置は更に、気圧調整機能を有し、レース気圧センサが気体充填レース内部の気圧を計測し、給気バルブの気圧不足の際は、気体を充填することで制御モジュールが気圧を一定範囲内に制御し、気体充填レースが過度な膨張により足部が不適切或いはエアバックが爆発することを防ぎ、よりは着心地をユーザーに提供する。
【００３４】
本願発明に属する技術分野において通常の知識を有する者であればさまざまな工夫と修飾が可能であるが、それらはいずれも本願発明の特許請求の範囲が求める保護を逸脱するものではない。
【００３５】
１  靴用気圧固定装置
１０        気体充填レース
１０ａ      繋部
１０ｂ      連接部
１０ｅ      通孔
１０ｆ     膨張部
１０ｇ     連通部
１０ｈ      間隙
１０Ｉ      外層
１２        第一エアポンプ
１２’      第二エアポンプ
１２１      吸気板
１２１ａ   第一表面
１２１ｂ   第二表面
１２１０   吸気孔
１２１１   中心凹部
１２１２  気体ガイド
１２２     共振片
１２２０   中空孔銅
１２３      圧電アクチュエータ
１２３１    懸吊板
１２３１ａ 第一表面
１２３１ｂ  第二表面
１２３１ｃ  中心部
１２３１ｄ  外周部
１２３１ｅ  凸部
１２３２    外枠
１２３２ａ    フレーム
１２３２ａ’ 第一表面
１２３２ａ”  第二表面
１２３２ｂ    導電ピン
１２３２ｃ   第一表面
１２３２ｄ    第二表面
１２３３      圧電ユニット
１２３４      間隙
１２４１、１２４２   絶縁片
１２５        導電片
１２５１   導電ピン
１２６        カバー板
１２６ａ    収容空間
１２６１     側壁
１２６２     底板
１２６３     開口部
１２６４ 吸気孔
１２７ａ     合流チャンバ
１２７ｂ  第一チャンバ
１２８     コロイドゲル
１３ａ        第一気体通路    
１３ｂ        第二気体通路
１４        エアバック部
１５       制御モジュール
１６     電池
１７       スイッチ
１７’     圧力センサ
２            スポーツシューズ
２１      靴帯
２１ａ        レースホール
２２       底部
２２ａ        中敷き        
２２ｂ        靴底
２３      設置空間
２４      開口
２５  革舌
【図１】
2019013744.tif 000003
【図２】
2019013744.tif 000004
【図３】
2019013744.tif 000005
【図４Ａ】
2019013744.tif 000006
【図４Ｂ】
2019013744.tif 000007
【図４Ｃ】
2019013744.tif 000008
【図４Ｄ】
2019013744.tif 000009
【図４Ｅ】
2019013744.tif 000010
【図４Ｆ】
2019013744.tif 000011
【図４Ｇ】
2019013744.tif 000012
【図４Ｈ】
2019013744.tif 000013
【図４Ｉ】
2019013744.tif 000014
【図４Ｊ】
2019013744.tif 000015
【図４Ｋ】
2019013744.tif 000016
【図５Ａ】
2019013744.tif 000017
【図５Ｂ】
2019013744.tif 000018
【図６】
2019013744.tif 000019
【図７Ａ】
2019013744.tif 000020
【図７Ｂ】
2019013744.tif 000021
【図８Ａ】
2019013744.tif 000022
【図８Ｂ】
2019013744.tif 000023
【図９Ａ】
2019013744.tif 000024
【図９Ｂ】
2019013744.tif 000025
【図９Ｃ】
2019013744.tif 000026
【図１０】
2019013744.tif 000027
【図１１Ａ】
2019013744.tif 000028
【図１１Ｂ】
2019013744.tif 000029
【図１１Ｃ】
2019013744.tif 000030
【図１１Ｄ】
2019013744.tif 000031
【図１２Ａ】
2019013744.tif 000032
【図１２Ｂ】
2019013744.tif 000033